(57)【要約】【課題】色変換処理の内容を、一般的に使用される色の用語を用い、平易な文書に置き換えて提示することができる色変換情報生成装置を提供することを目的とする。【解決手段】  色変換前の画像と色変換後の画像とについて、画像のピクセルのＲＧＢ値を、明度値、彩度値、色相値に変換し、色変換前の画像と色変換後の画像とにおける各ピクセルの明度値、彩度値、色相値に応じて、上記ピクセルに色名を付与し、所定のピクセルの明度値、彩度値、色相値について、色変換の前後でそれぞれの差分を検出し、上記付与した色名のうちで、上記検出した差分が０でないピクセルに対応する色名を抽出し、上記差分を検出したピクセルの画像上における相対的な位置を判定し、変換された色について、その属性とその変換量とその変換方向とを判定し、上記抽出した色名、上記判定した相対位置、上記判定した上記変換量、変換方向を、文書として生成する。【選択図】図１
2010045676.tif 000002
【特許請求の範囲】
【請求項１】
画像を電子的に取得する画像取得手段と；
画像上の色を変換する色変換手段と；
色変換された画像を表示する画像表示手段と；
色変換前の画像と色変換後の画像とについて、画像の所定のピクセルのＲＧＢ値を、明度値、彩度値、色相値に変換する色空間変換手段と；
明度値、彩度値、色相値の範囲と、色名と、上記色名の修飾語とが対応付けられている情報を格納している色名データベースと；
上記色名データベースに格納されている上記明度値、彩度値、色相値の範囲と、色名と、その修飾語とが対応付けられている情報を参照し、色変換前の画像と色変換後の画像とにおける各ピクセルの明度値、彩度値、色相値に応じて、上記ピクセルに色名を付与する色名付与手段と；
色変換前の画像における所定のピクセルの明度値、彩度値、色相値と、色変換後の画像における対応するピクセルの明度値、彩度値、色相値とのそれぞれの差分を検出する差分検出手段と；
上記色名付与手段が付与した色名のうちで、上記差分検出手段が検出した差分が０でないピクセルに対応する色名を抽出する変換色の色名抽出手段と；
上記差分検出手段が上記差分を検出したピクセルの画像上における相対的な位置を判定する相対位置判定手段と；
変換された色について、その属性と、その変換量と、その変換方向とを判定する変換量判定手段と；
上記変換色の色名抽出手段が抽出した色名、上記相対位置判定手段が判定した相対位置、上記変換量判定手段が判定した上記変換量、変換方向を、文書として生成する文書生成手段と；
を有することを特徴とする色変換情報生成装置。
【請求項２】
請求項１において、
上記文書生成手段が生成した文書を表示する文書表示手段を有することを特徴とする色変換情報生成装置。
【請求項３】
画像を電子的に取得し、記憶装置に記憶する画像取得工程と；
画像上の色を変換し、記憶装置に記憶する色変換工程と；
色変換された画像を表示手段に表示する画像表示工程と；
色変換前の画像と色変換後の画像とについて、画像の所定のピクセルのＲＧＢ値を、明度値、彩度値、色相値に変換し、記憶装置に記憶する色空間変換工程と；
色名データベースに格納されている明度値、彩度値、色相値の範囲と、色名と、その修飾語とが対応付けられている情報を参照し、色変換前の画像と色変換後の画像とにおける各ピクセルの明度値、彩度値、色相値に応じて、上記ピクセルに色名を付与し、記憶装置に記憶する色名付与工程と；
色変換前の画像における所定のピクセルの明度値、彩度値、色相値と、色変換後の画像における対応するピクセルの明度値、彩度値、色相値とのそれぞれの差分を検出し、記憶装置に記憶する差分検出工程と；
上記色名付与工程で付与された色名のうちで、上記差分検出工程で検出された差分が０でないピクセルに対応する色名を抽出する変換色の色名抽出工程と；
上記差分検出工程で上記差分が検出されたピクセルの画像上における相対的な位置を判定し、記憶装置に記憶する相対位置判定工程と；
変換された色について、その属性と、その変換量と、その変換方向とを判定し、記憶装置に記憶する変換量判定工程と；
上記変換色の色名抽出工程で抽出された色名、上記相対位置判定工程で判定された相対位置、上記変換量判定工程で判定された上記変換量、変換方向を、文書として生成し、記憶装置に記憶する文書生成工程と；
を有することを特徴とする色変換情報生成方法。
【請求項４】
請求項３において、
上記文書生成工程で生成された文書を文書表示手段に表示する文書表示工程を有することを特徴とする色変換情報生成方法。
【請求項５】
請求項１または請求項２記載の色変換情報生成装置を構成する各手段としてコンピュータを機能させるプログラム。
【発明の詳細な説明】
【技術分野】
【０００１】
本発明は、電子画像および電子コンテンツの色を変換する際に、変換の内容と結果とを表示する装置、方法およびプログラムに関する。
【背景技術】
【０００２】
電子画像ファイルの色を変換する技術は従来、多く知られている（たとえば、非特許文献１参照）。
【０００３】
これは、電子画像における色が印刷物の色とは異なり、数値によって定義されかつ操作できるので、容易に変換できることが１つの理由である。
【０００４】
また、近年、電子機器のディスプレイや電子ファイルのカラー化が進み、電子ファイルを作成する際に、様々な色を用いて容易にデザインすることができるので、デザインを支援する技術の需要が伸びているという背景もある。
【０００５】
特に、近年は、様々な色覚特性に対して見やすい配色を行う「カラーユニバーサルデザイン」の考えが普及しつつあり、デザイナの嗜好に偏らず、一定のルールに従った配色案を作成するためにも、自動的に色を変換する技術が求められている。
【非特許文献１】神祐介、村上存著「多様な色覚特性に対する識別性を考慮した色のユニバーサルデザイン手法」ヒューマンインタフェースシンポジウム２００５、ｐｐ．２４５−２４８、２００５年
【発明の開示】
【発明が解決しようとする課題】
【０００６】
従来の色変換を行うツール等は、変換した結果の画像のみを提示するものが多い。色は視覚情報であるので、結果画像の提示は当然必要である。しかし、どの色がどのように変換されたかという変換処理内容の解釈は、ユーザに任せている。
【０００７】
実際に、ビジネスでデザインが行われる際に、デザイナは、デザインを注文した顧客に対し、言葉によってデザインの説明を行う必要がある。また、製品のデザインに関わるデザイナは、色に詳しいデザイナだけではないことも多い。  
【０００８】
たとえば、ウェブコンテンツを作成する場合、コンテンツ作成を取りまとめるディレクタやプロデューサ等も参加し、カラーデザインに関して、互いに言葉でコミュニケーションする必要がある。その際に、色変換ツールによる変換処理内容を言葉で説明できないと、なぜその配色案を採用したかという説明ができない。
【０００９】
特に、自動での色変換技術は、非常に高度な数値計算によって行われている場合が多いが、最終的には、ツールのユーザが「色がどのように変化したのか」を把握できなくてはならない。
【００１０】
本発明は、色変換処理の内容を、一般的に使用される色の用語を用い、平易な文書に置き換えて提示することができる色変換情報生成装置、色変換情報生成方法およびプログラムを提供することを目的とする。
【課題を解決するための手段】
【００１１】
本発明は、画像の色を変換した際に、その変換対象となった色の画像上での位置、色名、変換属性、変換量、変換方向を、文書に置き換える色変換情報生成装置である。
【発明の効果】
【００１２】
本発明は、画像を構成するピクセルの色を変換した際に、その変換対象であるピクセルの画像上での位置、色名、変換属性、変換量、変換方向を、文書に置き換えて表示等するので、より客観的である言語情報によって色の変換状態を示すことができ、したがって、ユーザが色変換の結果を把握し易く、人に伝える際にも有効であるという効果を奏する。
【発明を実施するための最良の形態】
【００１３】
発明を実施するための最良の形態は、以下の実施例である。
【実施例１】
【００１４】
図１は、本発明の実施例１である色変換情報生成装置１００の構成を示すブロック図である。
【００１５】
色変換情報生成装置１００は、ＰＣ内で単独動作するアプリケーションとして実施される。
【００１６】
色変換情報生成装置１００は、画像取得手段１１と、色変換手段１２と、画像表示手段１３と、色空間変換手段１４と、色名データベース１５と、色名付与手段１６と、差分検出手段１７と、相対位置判定手段１８と、変換色の色名抽出手段１９と、変換量判定手段２０と、文書生成手段２１と、文書表示手段２２とを有する。
【００１７】
画像取得手段１１は、画像を電子的に取得し、記憶装置に記憶する手段である。色変換手段１２は、画像上の色を変換し、記憶装置に記憶する手段である。画像表示手段１３は、色変換された画像を表示する手段である。
【００１８】
色空間変換手段１４は、色変換前の画像と色変換後の画像とについて、画像の所定のピクセルのＲＧＢ値を、明度値、彩度値、色相値に変換し、記憶装置に記憶する手段である。つまり、色空間変換手段１４は、色の見えの３属性（明度、彩度、色相）で表示できる色空間に変換する手段である。
【００１９】
色名データベース１５は、Ｌ＊値、Ｃ＊値、Ｈ値の範囲と、色名と、色名の修飾語とが対応付けられている情報を格納している。つまり、色名データベース１５は、明度値、彩度値、色相値の範囲と、色名と、上記色名の修飾語とが対応付けられている情報を格納している。
【００２０】
色名付与手段１６は、色名データベース１５に格納されている上記Ｌ＊値、Ｃ＊値、Ｈ値の範囲と、色名と、その修飾語とが対応付けられている情報を参照し、色変換前の画像と色変換後の画像とにおける各ピクセルのＬ＊値、Ｃ＊値、Ｈ値に応じて、上記ピクセルに色名を付与し、記憶装置に記憶する。つまり、色名付与手段１６は、色名データベース１５に格納されている上記明度値、彩度値、色相値の範囲と、色名と、その修飾語とが対応付けられている情報を参照し、色変換前の画像と色変換後の画像とにおける各ピクセルの明度値、彩度値、色相値に応じて、上記ピクセルに色名を付与し、記憶装置に記憶する。
【００２１】
差分検出手段１７は、色変換前の画像におけるＬ＊値、Ｃ＊値、Ｈ値と、色変換後の画像におけるＬ＊値、Ｃ＊値、Ｈ値とのそれぞれの差分を検出する。差分検出手段１７は、検出した差分を、変換量判定手段２０に送る。
【００２２】
相対位置判定手段１８は、色が変換されたピクセルが存在している画像上の相対的な位置を判定し、記憶装置に記憶する手段である。
【００２３】
変換色の色名抽出手段１９は、色名付与手段１６が付与した色名のうちで、差分検出手段１７が検出した差分が０でないピクセルに対応する色名を抽出し、記憶装置に記憶する手段である。
【００２４】
変換量判定手段２０は、変換された色について、差分検出手段１７を参照して、色の属性（たとえば、明度、彩度、色相）と、その変換量と、色の属性の変換方向とを判定し、記憶装置に記憶する手段である。
【００２５】
文書生成手段２１は、色名付与手段１６が付与した色名、相対位置判定手段１８が判定した相対位置、変換量判定手段２０が判定した上記変換量、変換方向を、文書として生成する手段である。
【００２６】
文書表示手段２２は、文書生成手段２１が生成した文書を表示する手段である。
【００２７】
図２は、色変換情報生成装置１００における処理を示すフローチャートである。
【００２８】
Ｓ１で、画像取得手段１１は、電子画像ファイルを取得し、画像の全てのピクセルについて、ＲＧＢ値（赤成分Ｒ、緑成分Ｇ、青成分Ｂ）を取得する。また、画像における各ピクセルの位置も取得する。
【００２９】
図３は、画像取得手段１１が取得した画像例と、画像取得手段１１が取得した画像が、色変換手段１２によって色変換され、画像表示手段１３に表示されている例と、画像取得手段１１が取得した画像のピクセルのＲＧＢ値の例と、画像取得手段１１が取得した画像のＲＧＢ値について、色変換手段１２が色変換した例とを示す図である。
【００３０】
図３（ａ）は、画像取得手段１１が取得した画像（以下、「オリジナル画像」と呼ぶ）の例を示す図である。図３（ｃ）は、その各ピクセルのＲＧＢ値を示す図である。この例では、単純に２×２ピクセルの図として示してある。なお、上記２×２ピクセルの代わりに、数ピクセル×数ピクセル、数十ピクセル×数十ピクセル、数百ピクセル×数百ピクセル、数千ピクセル×数千ピクセル等、所望の領域を使用するようにしてもよい。
【００３１】
図３（ｃ）に示すように、ピクセル位置は、縦の座標ｖ、横の座標ｈで示されている。
【００３２】
図４は、実施例１における色空間変換手段１４による処理の例を示す図である。
【００３３】
ピクセル番号は、画像の左上のピクセルから、図４に示す順序で、全ピクセルに割り当てた通し番号である。図３（ａ）に示す２×２ピクセルの画像の例では、ピクセル番号は、（１）〜（４）が割り当てられている。各ピクセルのＲＧＢ値の情報と、位置情報とは、色変換手段１２に送られる。
【００３４】
Ｓ２で、色変換手段１２が、画像取得手段１１から送られた画像の色を、ある規則に従って、異なる色に変換する。変換規則については、従来から様々な方法が提案され（上記非特許文献１参照）、どのような変換方法を用いてもよい。
【００３５】
図３（ｂ）は、色が変換された例を示す図である。
【００３６】
図３（ｄ）の表に示すように、ＲＧＢ値がオリジナル画像のものとは異なっている。オリジナル画像の色情報と、色変換処理後の色情報との２種類の情報が、画像表示手段１３と色空間変換手段１４とに送られる。
【００３７】
Ｓ３で、オリジナル画像の色情報および色変換処理後の色情報のそれぞれについて、色空間変換手段１４が、色の見えの３属性（明度、彩度、色相）から構成される色空間への変換を行う。ここでは、ＲＧＢ値を明度（明るさ）成分（Ｌ＊値）と、色み成分（ａ＊値、ｂ＊値）との３つの値を持つＬ＊ａ＊ｂ＊表色系へ変換し、その表色系を用いて、彩度を示すＣ＊値と色相を示すＨ値とを求める。Ｌ＊と、ａ＊、ｂ＊とは、互いに独立した軸である。Ｌ＊値は、０〜１００の範囲で変化し、値が大きいほど明るいことを示す。Ｌ＊＝０であれば、黒であり、Ｌ＊＝１００であれば、白である。色見を示すａ＊値は、赤と緑との間で変化し、正の値であれば、赤みが強いことを示し、負の値であれば、緑みが強いことを示す。色見を示すｂ＊値は、青と黄との間で変化し、正の値であれば、黄みが強いことを示し、負の値であれば、青みが強いことを示す。
【００３８】
ａ＊＝０、ｂ＊＝０であれば、色みが無い状態、すなわち灰色になる。Ｃ＊値が０であれば、灰色であり、値が大きくなるにつれて、鮮やかな色になる。Ｃ＊の最大値は、色によって異なる。Ｈ値は、角度で示され、０°で、およそ赤色になり、黄色、緑、青、紫と変化し、一周すると、再び赤に戻る。
【００３９】
図５は、各ピクセルのＲＧＢ値が、Ｌ＊値、Ｃ＊値、Ｈ値に変換された様子を示す図である。
【００４０】
Ｌ＊値、Ｃ＊値、Ｈ値の３種類の情報は、差分検出手段１７、色名付与手段１６にそれぞれ送られる。
【００４１】
Ｓ４で、色空間変換手段１４から送られたオリジナル画像と色変換結果画像とのそれぞれについて、各ピクセルのＬ＊値、Ｃ＊値、Ｈ値と、色名データベース１５の情報とに基づいて、色名付与手段１６が、色名による新たなマップｄＳを作成する。
【００４２】
色名データベース１５は、Ｌ＊値、Ｃ＊値、Ｈ値の範囲によって分類される色名と、その修飾語の情報とを有する。
【００４３】
図６（ａ）は、画像取得手段１１が取得した画像について、色名付与手段１６が付与した色名を示す図である。
【００４４】
図６（ｂ）は、色名データベース１５に予め登録されている色相の名前と色相角Ｈとの関係を示す模式図である。図６（ｂ）に示す例では、色相角Ｈ（０〜３６０°）を１０等分し、これら等分された各色相角に、「赤」、「橙」、「黄」、「黄緑」、「緑」、「青緑」、「青」、「青紫」、「紫」、「赤紫」の１０色相が対応され、色名データベース１５に予め登録されている。
【００４５】
図６（ｃ）は、色名データベース１５に予め登録されている形容詞と、明度Ｌ＊と彩度Ｃ＊との関係を示す模式図である。図６（ｃ）に示すように、それぞれの色相で明度Ｌ＊を３等分し、彩度Ｃ＊を０から最大彩度の間で３等分し、これらの組み合わせによって、「鮮やかな」「淡い」「暗い」「くすんだ」等の形容詞が命名される。図６（ｂ）に示す例は、色相が「赤」であるときの明度と彩度とを分類した例である。
【００４６】
図６（ｂ）に示すように、同じ形容詞で命名されている領域が複数存在してもよい。また、上記実施例において、それぞれの色相で明度Ｌ＊を３等分し、彩度Ｃ＊を０から最大彩度の間を３等分しているが、これらを３等分ではなく、より細かく区切るようにしてもよい。なお、無彩色の場合は、明度Ｌ＊を３等分した「黒」、「灰」、「白」の３種類で表現する。この場合も、必ず３等分に区切る必要はなく、より細かく区切るようにしてもよい。
【００４７】
なお、色名データベース１５における色名情報は、数字情報によって調整され、ひも付けられたものである。図６（ｄ）は、色名データベース１５の持つ情報の例を示す図である。色名付与手段１６が付与した色名の情報は、実際は、色名データベース１５の数字情報である。
【００４８】
色名付与手段１６は、色空間変換手段１４から送られたオリジナル画像と、色変換結果画像とのそれぞれについて、各ピクセルのＬ＊値、Ｃ＊値、Ｈ値と、色名データベース１５に格納されている情報とに基づいて、各ピクセルに色名と修飾語とを、当該ピクセルに付与する。たとえば、０°≦Ｈ＜３６°の場合、図６（ａ）に示すように、「赤」であり、かつ３３≦Ｌ＊＜６６、７２≦Ｃ＊≦１０８の範囲にあれば、図６（ｂ）に示すように、「鮮やかな」という修飾語が付与され、それらを合わせて「鮮やかな赤」という色名が付与される。
【００４９】
図７は、色名付与手段１６による処理の結果を示す図である。
【００５０】
図４に示すオリジナル画像の各ピクセル（ピクセル番号）に対応する色名を、図７に示してある。なお、色名データベース１５では、それぞれの色名のＬ＊値、Ｃ＊値、Ｈ値が範囲で指定されているので、電子的な画像によく見られる小さな数値の違いは、同じ色名であるとして割り振られている。
【００５１】
上記処理によって付与された色名の情報は、変換色の色名抽出手段１９に送られる。
【００５２】
Ｓ５で、差分検出手段１７は、色空間変換手段１４から送られたオリジナル画像におけるＬ＊値、Ｃ＊値、Ｈ値と、変換結果画像におけるＬ＊値、Ｃ＊値、Ｈ値とについて、それぞれの差分を求める。以下の計算は、各ピクセルについて行われる。
【００５３】
Ｌ＊値の差分ｄＬ＝（色変換処理後のＬ＊値）−（オリジナル画像のＬ＊値）、
Ｃ＊値値の差分ｄＣ＝（色変換処理後のＣ＊値）−（オリジナル画像のＣ＊値）、
Ｈ値の差分ｄＨ＝（色変換処理後のＨ値）−（オリジナル画像のＨ値）、
（但し、ｄＨ≧１８０のときに、ｄＨ＝ｄＨ−３６０）。
【００５４】
図８は、差分検出手段１７がマップｄＳを作成する方法の例を示す図である。
【００５５】
差分検出手段１７は、各ピクセルにおける差分ｄＬ、ｄＣ、ｄＨについて、どれか１つでも０でなければ、すなわち、何らかの値が変化していれば、図８に示すマップｄＳにおける対応するピクセル位置を１とし、全てが０であれば、図８に示すマップｄＳにおける対応するピクセル位置を０とし、マップｄＳを作成する。このマップｄＳの情報は、相対位置判定手段１８に送られる。また、差分ｄＬ、ｄＣ、ｄＨの情報は、変換量判定手段２０に送られる。
【００５６】
Ｓ６で、色名付与手段１６が付与した色名のうちで、差分検出手段１７が検出した差分が０でないピクセルに対応する色名を、変換色の色名抽出手段１９が抽出する。
【００５７】
図８において、マップｄＳが１である位置は、「左上」と「右下」とであり、「左上」の位置、「右下」の位置の色名を、図６（ｂ）を参照して探す。「左上」の位置の色は、上記のように「鮮やかな赤」であり、「右下」の位置の色は、上記のように「鮮やかな緑」である。つまり、「左上」と「鮮やかな赤」とが対応つけられ、「右下」と「鮮やかな緑」とが対応付けられる。変換対象である色の色名情報は、文書生成手段２１に送られる。
【００５８】
Ｓ７で、差分検出手段１７から送られたマップｄＳの情報に基づいて、相対位置判定手段１８が、色変換が行われた位置を判定する。
【００５９】
ここでの「位置」は、画像全体から見た相対的な位置であり、画像の「左上」、「右上」、「左下」、「右下」の４ヶ所のうちで、どの位置にあるかを判定する。
【００６０】
図８に示すマップｄＳは、図３（ａ）に示す２×２ピクセルの画像であるが、他の画像の場合でも、画像の縦サイズをＶｓｉｚｅピクセル、横サイズをＨｓｉｚｅピクセルとし、全ピクセル数をＮピクセル（Ｎ＝Ｖｓｉｚｅ×Ｈｓｉｚｅ）とすると、それぞれのピクセル番号（ｎ＝１，２，３，…，Ｎ）について、次のように処理する。
【００６１】
つまり、ｎ／Ｈｓｉｚｅの余りＲが、Ｒ＜Ｖｓｉｚｅ／２であるときに、
Ｈｓｉｚｅ×Ｒ＜ｎ≦Ｈｓｉｚｅ／２＋Ｈｓｉｚｅ×Ｒであれば、「左上」であると判断し、
Ｈｓｉｚｅ／２＋Ｈｓｉｚｅ×Ｒ＜ｎ≦Ｈｓｉｚｅ×（Ｒ＋１）であれば、「右上」であると判断する。
【００６２】
また、ｎ／Ｈｓｉｚｅの余りＲが、Ｒ≧Ｖｓｉｚｅ／２であるときに、
Ｈｓｉｚｅ×Ｒ＜ｎ≦Ｈｓｉｚｅ／２＋Ｈｓｉｚｅ×Ｒであれば、「左下」であると判断し、
Ｈｓｉｚｅ／２＋Ｈｓｉｚｅ×Ｒ＜ｎ≦Ｈｓｉｚｅ×（Ｒ＋１）であれば、「右下」であると判断する。
【００６３】
図８に示す例では、色が変換されたピクセルのうちで、（ｖ＝１，ｈ＝２）（ピクセル番号（１））を、「左上」であると判定し、（ｖ＝２，ｈ＝２）（ピクセル番号（４））を、「右下」であると判定する。色が変換されたピクセルの情報と、その相対的な位置の情報とは、変換量判定手段２０と変換色の色名抽出手段１９とに送られる。
【００６４】
Ｓ８、Ｓ９で、変換量判定手段２０は、相対位置判定手段１８から受信した色変換の位置情報マップｄＳで、０でない各ピクセルについて、差分検出手段１７から受信した差分ｄＬ、ｄＣ、ｄＨのそれぞれについて、差分ｄＬが０でなければ、「明度が変わった」と判定し、ｄＣが０でなければ、「彩度が変わった」と判定し、ｄＨが０でなければ、「色相が変わった」と判定する。
【００６５】
そして、差分ｄＬ、ｄＣ、ｄＨの値が、プラスであるのかマイナスであるのかに応じて、文書表示手段２２が表示する表現が変わるようにする。色の属性の変換量を、ここでは、Ｌ＊値、Ｃ＊値、Ｈ値の絶対値とし、変換方向は、文書によって表現する。明度と彩度との場合、プラス方向に変化すれば、「変換量」＋「上げた」の情報を生成し、マイナス方向に変化すれば、「変換量」＋「下げた」の情報を生成する。たとえば、差分ｄＬ＝−１０であれば、「１０」＋「下げた」という情報が生成される。色相の場合、プラスでもマイナスでも「変換量」＋「回転した」という情報を生成する。
【００６６】
上記のように処理された色の属性、変換量、変換方向の情報が、文書生成手段２１に送られる。
【００６７】
Ｓ１０で、これまでの処理で生成された情報を、文書生成手段２１が、１つの文章になるように組み立て、文書表示手段２２が表示する。文書生成手段２１において、これまでの処理手段で数字情報として処理されてきた情報が、文字情報に置き換えられる。文字情報の組み立て方は、
“位置情報”＋“色名”＋“属性”＋“変換量”＋“変換方向”＋“文末”
となるようにする。なお、属性が２種類以上あれば、文末の前に、明度、彩度、色相の順にそれぞれ表示する。図３（ａ）から（ｂ）への色変換処理については、たとえば、以下のように表現する。
【００６８】
“左上の”“鮮やかな赤の”“明度を”“１０”“下げ”“ました。”
“右下の”“鮮やかな緑の”“明度を”“１０”“下げ”“色相を”“５”“°回転し”“ました。”
これを以下のような文章として表示する。
【００６９】
“左上の鮮やかな赤の明度を１０下げました。”
“右上の鮮やかな緑の明度を１０下げ色相を５°回転しました。”
なお、“位置情報”＋“色名”の部分が同じになる文章では、２回目以降を表示しない。これによって、同じ文章がピクセル毎に表示されることを防ぐ。
【００７０】
なお、色変換手段１２が何も変換しなければ、「変換は行われませんでした。」と表示する。
【００７１】
また、Ｓ１０で、画像表示手段１３が、色変換手段１２から送られた色変換結果の画像を表示する。すなわち、図３（ｂ）に示す図が表示される。なお、色変換手段１２が、色を変換しなければ、オリジナル画像をそのまま表示する。
【００７２】
画像取得手段１１は、ＲＧＢ値を取得するが、他の指標を取得するようにしてもよい。たとえば、ＨＴＭＬファイルを取得する場合、色を表すタグを取得するようにしてもよい。
【００７３】
画像表示手段１３は、色変換結果の画像を表示するが、たとえばオリジナル画像と色変換結果の画像とを２枚並べて表示する等、表示形式は、どのような形であってもよい。
【００７４】
色空間変換手段１４が、ＲＧＢ値をＬ＊ａ＊ｂ＊値に変換するが、色の３属性を数値で表せるものであれば、ＨＳＶ色空間等、他の空間を用いるようにしてよい。
【００７５】
上記実施例では、色名データベース１５の分類は、Ｌ＊値、Ｃ＊値、Ｈ値に基づいているが、色の３属性を数値で表せるものであれば、ＨＳＶ色空間等、他の色空間を用いるようにしてよい。他の色空間であってもよいが、色を文書で表現することに適した色空間を使用することが望ましい。
【００７６】
色名データベース１５が持つ色相は、必ずしも１０種類にする必要はなく、無彩色も３種類である必要はない。他の分類基準にすることによって、上記各種類の数が異なってもよい。分類基準だけでなく、形容詞の種類についても、他の基準（たとえば、“ＪＩＳ  Ｚ  ８１０２：２００１「物体色の色名」日本工業標準調査会  審議（日本規格協会発行）” や“ＪＩＳ  Ｚ  ８１１０：１９９５「色の表示方法−光源色の色名」日本工業標準調査会  審議（日本規格協会発行）”）を使用するようにしてよい。ただし、形容詞による分類を踏まえた全色名数が、１００を超えないことが望ましい。
【００７７】
相対位置判定手段１８は、変換対象色の位置を４種類に分類しているが、他の方法を用いるようにしてもよい。たとえば「上３分の１」等の表現も可能である。
【００７８】
差分検出手段１７は、オリジナル画像と色変換結果の画像との差分を、Ｌ＊値、Ｃ＊値、Ｈ値の差分によって算出するが、他の色空間であってもよい。この場合、その情報が送られる変換量判定手段２０で、その色空間に対応する文書を作成する。たとえば、Ｒ値、Ｇ値、Ｂ値によって差分を取った場合、文書生成手段２１で生成される文書は、“Ｒ成分を上げました”“赤み成分を上げました”等の表現にする。
【００７９】
変換量判定手段２０は、色相の変換方法がプラスでもマイナスでも同じ結果が出力されるようにしているが、オリジナル画像のＨがどの値であるのか、すなわちどの色相であるのかによって出力を変えるようにしてもよい。たとえば、オリジナル画像上のＨが−７２°≦Ｈ≦７２°（紫、赤紫、赤、橙）であるときに、０°＜ｄＨ≦＋９０°であれば、「黄色方向に回転させる」というように表現を変えるようにしてもよい。
【００８０】
文書生成手段２１が生成する文書は、上記単語を必ずしも使用する必要はない。たとえば、明度を「明るさ」、彩度を「鮮やかさ」等のように、表現を変えるようにしてもよい。また、上記実施例では、変換量の数値（差分ｄＬ、ｄＣ、ｄＨのそれぞれの絶対値）を表示しているが、他の指標の数値であってもよく、数値による表示を行わなくてもよい。
【００８１】
文書表示手段２２は、生成された文書に、色変換結果の色名を加えで表示するようにしてもよい。色変換結果の画像に対する色名を、色名付与手段１６が付与するので、色変換結果の画像に対する色名の情報を加えることによって、変換後の色名を表示することができる。たとえば、
“左上の鮮やかな赤の明度を１０下げ、暗い赤になりました。”
という文書に表示することも可能である。
【００８２】
なお、上記実施例において、数字情報が文字情報に置き換えられる点に特徴がある。つまり、画像取得手段１１〜変換量判定手段２０で扱う情報は、数字情報であり、この数字情報が、文書生成手段２１で初めて文字情報に置き換えられる。
【００８３】
また、上記実施例において、文書表示手段２２を設ける代わりに、または文書表示手段２２とともに、文書生成手段２１が生成した文書を音声で知らせる手段を設けるようにしてもよい。上記実施例において、文書表示手段２２を設ける代わりに、または文書表示手段２２とともに、文書生成手段２１が生成した文書をプリントするプリンタを設けるようにしてもよい。
【００８４】
そして、上記実施例における各手段を工程に置き換えれば、上記実施例を方法の発明として把握することができる。
【００８５】
さらに、請求項１または請求項２記載の色変換情報生成装置を構成する各手段としてコンピュータを機能させるプログラムを想定することができる。
【図面の簡単な説明】
【００８６】
【図１】本発明の実施例１である色変換情報生成装置１００の構成を示すブロック図である。
【図２】色変換情報生成装置１００における処理を示すフローチャートである。
【図３】画像取得手段１１が取得した画像例と、画像取得手段１１が取得した画像が、色変換手段１２によって色変換され、画像表示手段１３に表示されている例と、画像取得手段１１が取得した画像のピクセルのＲＧＢ値の例と、画像取得手段１１が取得した画像のＲＧＢ値について、色変換手段１２が色変換した例都を示す図である。
【図４】実施例１における色空間変換手段１４による処理の例を示す図である。
【図５】各ピクセルのＲＧＢ値がＬ＊値、Ｃ＊値、Ｈ値に変換された様子を示す図である。
【図６】画像取得手段１１が取得した画像について、色名付与手段１６が付与した色名等を示す図である。
【図７】色名付与手段１６による処理の結果を示す図である。
【図８】差分検出手段１７の処理の例、つまり、マップｄＳの作成方法の例を示す図である。
【符号の説明】
【００８７】
１００…色変換情報生成装置、
１１…画像取得手段、
１２…色変換手段、
１３…画像表示手段、
１４…色空間変換手段、
１５…色名データベース、
１６…色名付与手段、
１７…差分検出手段、
１８…相対位置判定手段、
１９…変換色の色名抽出手段、
２０…変換量判定手段、
２１…文書生成手段、
２２…文書表示手段。
【図１】
2010045676.tif 000003
【図２】
2010045676.tif 000004
【図３】
2010045676.tif 000005
【図４】
2010045676.tif 000006
【図５】
2010045676.tif 000007
【図６】
2010045676.tif 000008
【図７】
2010045676.tif 000009
【図８】
2010045676.tif 000010